(57)【特許請求の範囲】
【請求項１】
ベースと、切断待機位置及び切断完了位置間を鋸刃の平面に沿って移動可能に、且つ、前記ベースに対して回転可能なブラケットを用いて前記鋸刃の平面と直交する平面に沿って傾動可能に前記ベースの後方側に取り付けられた丸鋸本体と、前記丸鋸本体の傾動の固定及び解除を行なうためのベベルロック機構とを備えた卓上切断機において、
前記ベベルロック機構は、
前記ベースの前面側に配置されたベベルロック操作ハンドルと、
前記ベースの前面側から後方側へ延びると共に前記ベースに前記ブラケットを押し付けるように前記ベベルロック操作ハンドルによって移動可能なベベルロックシャフトとを含む
ことを特徴とする卓上切断機。
【請求項２】
ベースと、前記ベースに回動可能に取り付けられたターンテーブルと、切断待機位置及び切断完了位置間を鋸刃の平面に沿って移動可能に、且つ、前記ターンテーブルに対して回転可能なブラケットを用いて前記鋸刃の平面と直交する平面に沿って傾動可能に前記ターンテーブルの後方側に取り付けられた丸鋸本体と、前記ターンテーブルの前記ベースへの固定及び解除を行なうためのマイターロック機構と、前記丸鋸本体の傾動の固定及び解除を行なうためのベベルロック機構とを備えた卓上切断機において、
前記マイターロック機構のためのマイターロック操作ハンドルが前記ターンテーブルの前面側に配置されており、
前記ベベルロック機構は、
前記ターンテーブルの前面側に配置されたベベルロック操作ハンドルと、
前記ターンテーブルの前面側から後方側へ延びると共に前記ターンテーブルに前記ブラケットを押し付けるように前記ベベルロック操作ハンドルによって移動可能なベベルロックシャフトとを含む
ことを特徴とする卓上切断機。
【請求項３】
前記マイターロック機構のためのマイターロックシャフトと、前記ベベルロック機構のためのベベルロックシャフトとが、これ等が相互に接触しないように、保持手段を介して間隔をあけて同一軸心上に配置されており、
前記マイターロックシャフトの一端に前記マイターロック操作ハンドルが取り付けられ、前記ベベルロックシャフトの一端に前記ベベルロック操作ハンドルが取り付けられていることを特徴とする請求項２に記載した卓上切断機。
【請求項４】
ベースと、切断待機位置及び切断完了位置間を鋸刃の平面に沿って移動可能に、且つ、前記ベースに対して回転可能なブラケットを用いて前記鋸刃の平面と直交する平面に沿って傾動可能に前記ベースの後方側に取り付けられた丸鋸本体と、前記丸鋸本体の傾動の固定及び解除を行なうためのベベルロック機構と、前記丸鋸本体が一方から他方に傾動する際に、前記鋸刃が垂直に位置したときに、前記丸鋸本体の傾動を停止するための傾動停止機構とを備えた卓上切断機において、
前記傾動停止機構は、
前記ベースの前面側に配置された傾動停止操作ハンドルと、
前記ベースの前面側から後方側へ延びると共に前記傾動停止操作ハンドルによって回転可能な傾動停止シャフトと、
回転する前記ブラケットが当たるように前記傾動停止シャフトによって回転可能なロックピンとを含む
ことを特徴とする卓上切断機。
【請求項５】
ベースと、前記ベースに回動可能に取り付けられたターンテーブルと、切断待機位置及び切断完了位置間を鋸刃の平面に沿って移動可能に、且つ、前記ターンテーブルに対して回転可能なブラケットを用いて前記鋸刃の平面と直交する平面に沿って傾動可能に前記ターンテーブルの後方側に取り付けられた丸鋸本体と、前記ターンテーブルの前記ベースへの固定及び解除を行なうためのマイターロック機構と、前記丸鋸本体の傾動の固定及び解除を行なうためのベベルロック機構と、前記丸鋸本体が一方から他方に傾動する際に、前記鋸刃が垂直に位置したときに、前記丸鋸本体の傾動を停止するための傾動停止機構とを備えた卓上切断機において、
前記マイターロック機構のためのマイターロック操作ハンドルが前記ターンテーブルの前面側に配置されており、前記ベベルロック機構のためのベベルロック操作ハンドルが前記ターンテーブルの前面側に配置されており、
前記傾動停止機構は、
前記ターンテーブルの前面側に配置された傾動停止操作ハンドルと、
前記ターンテーブルの前面側から後方側へ延びると共に前記傾動停止操作ハンドルによって回転可能な傾動停止シャフトと、
回転する前記ブラケットが当たるように前記傾動停止シャフトによって回転可能なロックピンとを含む
ことを特徴とする卓上切断機。
【発明の詳細な説明】
【０００１】
【発明の属する技術分野】
本発明は、ベースと、切断待機位置及び切断完了位置間を鋸刃の平面に沿って移動可能に、且つ、鋸刃の平面と直交する平面に沿って傾動可能に設けられる丸鋸本体とを有し、しかも、丸鋸本体の傾動の固定及び解除を行なうためのベベルロック機構、ターンテーブルのベースへの固定及び解除を行なうためのマイターロック機構及び丸鋸本体が一方から他方に傾動する際に、鋸刃が垂直に位置したときに、丸鋸本体の傾動を停止するための傾動停止機構のうちの少なくとも１つを備えた卓上切断機に関する。
【０００２】
【従来の技術】
従来から広く普及されている卓上切断機の一例に関して、ベースと、切断待機位置及び切断完了位置間を鋸刃の平面に沿って移動可能に、且つ、鋸刃の平面と直交する平面に沿って傾動可能にベースに取り付けられた丸鋸本体と、丸鋸本体の傾動の固定及び解除を行なうためのベベルロック機構とを備えた卓上切断機が知られている。
【０００３】
又、卓上切断機の他の一例に関して、ベースと、ベースに回動可能に取り付けられたターンテーブルと、切断待機位置及び切断完了位置間を鋸刃の平面に沿って移動可能に、且つ、鋸刃の平面と直交する平面に沿って傾動可能にターンテーブルに取り付けられた丸鋸本体と、ターンテーブルのベースへの固定及び解除を行なうためのマイターロック機構と、丸鋸本体の傾動の固定及び解除を行なうためのベベルロック機構とを備えた卓上切断機が知られている。
【０００４】
卓上切断機の更に他の一例に関してベースと、切断待機位置及び切断完了位置間を鋸刃の平面に沿って移動可能に、且つ、鋸刃の平面と直交する平面に沿って傾動可能にベースに取り付けられた丸鋸本体と、丸鋸本体の傾動の固定及び解除を行なうためのベベルロック機構と、丸鋸本体が一方から他方に傾動する際に、鋸刃が垂直に位置したときに、丸鋸本体の傾動を停止するための傾動停止機構とを備えた卓上切断機が知られている。
【０００５】
このような卓上切断機においては、丸鋸本体の傾動の固定及び解除は、ベベルロック操作ハンドルを操作することによって行なわれる。又、丸鋸本体が一方から他方に傾動する際に、鋸刃が垂直に位置すると、傾動停止機構によって、丸鋸本体の傾動が停止され、鋸刃は垂直な状態に保持される。このような状態から丸鋸本体を更に他方に傾動する際には、傾動停止操作ハンドルを操作することによって、傾動停止機構による丸鋸本体の傾動停止を解除する。
【０００６】
【発明が解決しようとする課題】
しかしながら、上述した従来の卓上切断機においては、ベベルロック機構のためのベベルロック操作ハンドル及び傾動停止機構のための傾動停止操作ハンドルがベースの後方側に配置されているため、オペレータは、卓上切断機の後方側に移動して、これ等のハンドルを操作しなければならず、この操作は極めて厄介であった。
【０００７】
又、オペレータは、自分自身を卓上切断機の前方側に位置した状態で、手をベースの後方側に伸ばし、これ等のハンドルを操作することも可能であるが、この場合には、ハンドルの位置を目視によって確認することが困難であり、従って、ハンドルの位置を手探りで確認した上で、その操作を行なわなければならず、操作性が著しく低下するという問題が生じていた。更に、このような操作を行なうために、手をベースの後方側に伸ばしたときに、鋸刃付近の部材に手を引っ掛けて怪我をする虞があり、特に、鋸刃の周りに安全カバーが設けられていない場合には、手が鋸刃に直接的に接触し、これにより大怪我をする虞があった。
【０００８】
従って、本発明の目的は、ベベルロック機構及び／又は傾動停止機構の操作を極めて容易に、安全に且つ確実に行なうことが可能な卓上切断機を提供することにある。
【０００９】
【課題を解決するための手段】
請求項１の本発明は、ベース（１）と、切断待機位置及び切断完了位置間を鋸刃（２５）の平面に沿って移動可能に、且つ、前記ベース（１）に対して回転可能なブラケット（１０）を用いて前記鋸刃（２５）の平面と直交する平面に沿って傾動可能に前記ベース（１）の後方側に取り付けられた丸鋸本体（３）と、前記丸鋸本体（３）の傾動の固定及び解除を行なうためのベベルロック機構（８）とを備えた卓上切断機において、
前記ベベルロック機構（８）は、前記ベース（１）の前面側に配置されたベベルロック操作ハンドル（１１）と、前記ベース（１）の前面側から後方側へ延びると共に前記ベース（１）に前記ブラケット（１０）を押し付けるように前記ベベルロック操作ハンドル（１１）によって移動可能なベベルロックシャフト（９）とを含むことを特徴としている。
【００１０】
請求項２の本発明は、ベース（１）と、前記ベース（１）に回動可能に取り付けられたターンテーブル（２）と、切断待機位置及び切断完了位置間を鋸刃（２５）の平面に沿って移動可能に、且つ、前記ターンテーブル（２）に対して回転可能なブラケット（１０）を用いて前記鋸刃（２５）の平面と直交する平面に沿って傾動可能に前記ターンテーブル（２）の後方側に取り付けられた丸鋸本体（３）と、前記ターンテーブル（２）の前記ベース（１）への固定及び解除を行なうためのマイターロック機構（４）と、前記丸鋸本体（３）の傾動の固定及び解除を行なうためのベベルロック機構（８）とを備えた卓上切断機において、
前記マイターロック機構（４）のためのマイターロック操作ハンドル（７）が前記ターンテーブル（２）の前面側に配置されており、
前記ベベルロック機構（８）は、前記ターンテーブル（２）の前面側に配置されたベベルロック操作ハンドル（１１）と、前記ターンテーブル（２）の前面側から後方側へ延びると共に前記ターンテーブル（２）に前記ブラケット（１０）を押し付けるように前記ベベルロック操作ハンドル（１１）によって移動可能なベベルロックシャフト（９）とを含むことを特徴としている。
【００１１】
請求項３の本発明は、請求項２の卓上切断機において、前記マイターロック機構（４）のためのマイターロックシャフト（５）と、前記ベベルロック機構（８）のためのベベルロックシャフト（９）とが、これ等が相互に接触しないように、保持手段（２ｃ、２３、２４）を介して間隔をあけて同一軸心上に配置されており、
前記マイターロックシャフト（５）の一端に前記マイターロック操作ハンドル（７）が取り付けられ、前記ベベルロックシャフト（９）の一端に前記ベベルロック操作ハンドル（１１）が取り付けられている
ことを特徴としている。
【００１２】
請求項４の本発明は、ベース（１）と、切断待機位置及び切断完了位置間を鋸刃（２５）の平面に沿って移動可能に、且つ、前記ベース（１）に対して回転可能なブラケット（１０）を用いて前記鋸刃（２５）の平面と直交する平面に沿って傾動可能に前記ベース（１）の後方側に取り付けられた丸鋸本体（３）と、前記丸鋸本体（３）の傾動の固定及び解除を行なうためのベベルロック機構（８）と、前記丸鋸本体（３）が一方から他方に傾動する際に、前記鋸刃（２５）が垂直に位置したときに、前記丸鋸本体（３）の傾動を停止するための傾動停止機構（１６）とを備えた卓上切断機において、
前記傾動停止機構（１６）は、前記ベース（１）の前面側に配置された傾動停止操作ハンドル（１８）と、前記ベース（１）の前面側から後方側へ延びると共に前記傾動停止操作ハンドル（１８）によって回転可能な傾動停止シャフト（１７）と、回転する前記ブラケット（１０）が当たるように前記傾動停止シャフト（１７）によって回転可能なロックピン（２０）とを含むことを特徴としている。
【００１３】
請求項５の本発明は、  ベース（１）と、前記ベース（１）に回動可能に取り付けられたターンテーブル（２）と、切断待機位置及び切断完了位置間を鋸刃（２５）の平面に沿って移動可能に、且つ、前記ターンテーブル（２）に対して回転可能なブラケット（１０）を用いて前記鋸刃（２５）の平面と直交する平面に沿って傾動可能に前記ターンテーブル（２）の後方側に取り付けられた丸鋸本体（３）と、前記ターンテーブル（２）の前記ベース（１）への固定及び解除を行なうためのマイターロック機構（４）と、前記丸鋸本体（３）の傾動の固定及び解除を行なうためのベベルロック機構（８）と、前記丸鋸本体（３）が一方から他方に傾動する際に、前記鋸刃（２５）が垂直に位置したときに、前記丸鋸本体（３）の傾動を停止するための傾動停止機構（１６）とを備えた卓上切断機において、
前記マイターロック機構（４）のためのマイターロック操作ハンドル（７）が前記ターンテーブル（２）の前面側に配置されており、前記ベベルロック機構（８）のためのベベルロック操作ハンドル（１１）が前記ターンテーブル（２）の前面側に配置されており、
前記傾動停止機構（１６）は、前記ターンテーブル（２）の前面側に配置された傾動停止操作ハンドル（１８）と、前記ターンテーブル（２）の前面側から後方側へ延びると共に前記傾動停止操作ハンドル（１８）によって回転可能な傾動停止シャフト（１７）と、回転する前記ブラケット（１０）が当たるように前記傾動停止シャフト（１７）によって回転可能なロックピン（２０）とを含むことを特徴とする。
【００１４】
以下、本発明の実施形態を示す図面に対応付けて本発明を説明する。但し、本発明は図示の形態に限定されない。
【００１５】
【発明の実施の形態】
以下、図１乃至図１２を参照して本発明の一実施形態を説明する。
【００１６】
本発明の実施形態にかかる卓上切断機は、ベース１と、ターンテーブル２と、丸鋸本体３と、マイターロック機構４と、ベベルロック機構８と、傾動停止機構１６からなっている。
【００１７】
ベース１は、図２に示すように、４本の脚部１ａを有しており、その中央の位置に円形状のターンテーブル載置部分１ｂを備えている。ベース１にはフェンス３０が固定されており、このフェンス３０に木材等の被切断材３１を当接させることによって、その位置決めが行なわれる。ベース１におけるターンテーブル載置部分１ｂの周囲の一部には、ベース１に対するターンテーブル２の角度を表示するための角度目盛３３が設けられている（図２参照）。
【００１８】
ターンテーブル２は、図２に示すように、上記ベース１のターンテーブル載置部分１ｂ上に載置され垂直方向に伸びる支軸１２（図３及び図６参照）を介してベース１に回動可能に取り付けられた円形状部分２ａと、この円形状部分２ａの一端部に一体的に形成された矩形状部分２ｂとからなっている。円形状部分２ａの下端は、ベース１のターンテーブル載置部分１ｂと接触して、リング状の接触摺動部分Ａを形成している（図６参照）。このように構成されたターンテーブル２の上面には、矩形状部分２ｂの長さ方向に沿って、一対の刃口板３２、３２が間隔をあけて平行に取り付けられており、被切断材３１を切断する際に、これ等一対の刃口板３２、３２間に鋸刃２５の先端を挿入することができる。
【００１９】
ターンテーブル２の円形状部分２ａにおいて、矩形状部分２ｂが形成された側と反対側の位置には、ブラケット１０が水平方向に伸びる支軸１５を介して回動可能に取り付けられている（図３参照）。ブラケット１０は、図１０に示すように、一端に支軸１５と直交する円形状の接触面１０ａを有しており、この接触面１０ａの中央部に支軸１５を挿通するための貫通孔１０ｄが形成されている。更に、上記接触面１０ａの外周の下方部分には、張出し部１０ｂが一体的に形成されており、この張出し部１０ｂには、支軸１５の中心軸線を中心とする円の円周方向に伸びる長孔１０ｃが形成されている。
【００２０】
一方、上記ブラケット１０が取り付けられるターンテーブル２の円形状部分２ａ、即ち、その円形状部分２ａにおいて、矩形状部分２ｂが形成された側と反対側の位置には、図１１に示すように、ブラケット１０の上記円形状の接触面１０ａに合致する円形状の接触面２ｄが設けられており、この接触面２ｄの外周の下方部分には、張出し部２ｅが一体的に形成されている。この張出し部２ｅには、後述するベベルロック機構８のベベルロックシャフト９の先端部が螺合されるネジ孔１４が形成されている。
【００２１】
上述したブラケット１０は、その円形状の接触面１０ａがターンテーブル２側の円形状の接触面２ｄに接触するように配置され、このような状態で、ブラケット１０の貫通孔１０ｄに支軸１５を挿通し、この支軸１５の先端をターンテーブル２側の円形状の接触面２ｄの中央部に形成されたネジ穴３８に螺合する。
【００２２】
このようにしてブラケット１０はターンテーブル２に支軸１５を介して揺動可能に取り付けられるが、このブラケット１０には、図９に示すように、一対の揺動限界規制ネジ３６、３７が取り付けられており、これ等のネジ３６、３７は、これ等ネジ３６、３７間において、ターンテーブル２側に設けられたストッパ（図示せず）と当接することによって、ブラケット１０の揺動範囲が規制されるように構成されている。勿論、ネジ３６、３７の螺合量を調節することによって、ブラケット１０の揺動限界位置の微調整が行なわれる。
【００２３】
上述したように、ターンテーブル２に揺動可能に取り付けられたブラケット１０には、一対のリンク２８、２９を介して丸鋸本体３が図１及び図３において左右方向に移動可能に取り付けられている。図１及び図３において、２７は、鋸刃２５を回転させるためのモータ（図示せず）、このモータの出力軸を鋸刃２５に伝達するための動力伝達機構（図示せず）等を内蔵したドライブユニットであり、３ａ及び３ｂは、丸鋸本体３にそれぞれ設けられた第１ハンドル及び第２ハンドルである。
【００２４】
上述したベース１と、ターンテーブル２と、リンク２８、２９との組合せを採用することにより、丸鋸本体３は、ターンテーブル２と共に支軸１２（図３参照）を中心として水平面に沿って回動可能である一方、ターンテーブル２とは独立して、支軸１５を中心として垂直面に沿って回動可能であり、更に、この丸鋸本体３は、このような回動範囲内の任意の位置において、鋸刃２５と同一平面に沿って、リンク２８、２９によって許容された所定ストロークの範囲内で移動可能である。即ち、丸鋸本体３は、切断待機位置及び切断完了位置間を鋸刃２５の平面に沿って移動可能であると共に、鋸刃２５の平面と直交する平面に沿って傾動可能である。
【００２５】
従って、▲１▼鋸刃２５を垂直に維持し、このように垂直に維持された鋸刃２５が、フェンス３０に対する被切断材３１の当接面と直交するように、被切断材３１の取付け位置を保持した状態で、鋸刃２５をその平面方向に移動させれば、被切断材３１を直角に切断することができ、▲２▼鋸刃２５を垂直に維持し、このように垂直に維持された鋸刃２５が、フェンス３０に対する被切断材３１の当接面と直交しないように、被切断材３１の取付け位置を保持した状態で、鋸刃２５をその平面方向に移動させれば、被切断材３１その平面において斜めに切断することができ、▲３▼鋸刃２５を垂直線に対して傾斜した状態に維持し、このように傾斜した状態に維持された鋸刃２５が、フェンス３０に対する被切断材３１の当接面と直交するように、被切断材３１の取付け位置を保持した状態で、鋸刃２５をその平面方向に移動させれば、被切断材３１をその側面において斜めに切断することができ、更に、▲４▼鋸刃２５及び被切断材３１の上述した配置を任意に組み合わせることによって、それぞれの組合せにかかる切断パターンに従った切断が可能である。
【００２６】
上述したベース１とターンテーブル２との上述したリング状の接触摺動部分Ａには、位置決め機構３９が設けられている（図６参照）。
【００２７】
位置決め機構３９は、プランジャボア４０と、プランジャ４１と、調節機構４２、弾性部材４３と、複数個の凹部４４とからなっている。
【００２８】
即ち、プランジャボア４０は、ターンテーブル２の円形状部分２ａと矩形状部分２ｂとの間の位置において、上記接触摺動部分Ａに臨むように、ターンテーブル２を垂直方向に貫通して設けられている。このプランジャボア４０の上方部分には、図６に示すように、調節機構４２のための雌ネジ部が形成されている。
【００２９】
プランジャ４１は、ボール型プランジャからなっており、プランジャボア４０の上記接触摺動部分Ａ側の一端から出没可能なようにプランジャボア４０内に配置されている。
【００３０】
調節機構４２は、上端に六角穴を有する無頭の雄ネジからなっており、プランジャボア４０の上方部分に形成された雌ネジ部に螺合されている。従って、雄ネジとして構成された調節機構４２は、それ自身を回転させることによって、雌ネジ部内において、上下方向に移動可能である。
【００３１】
弾性部材４３は、圧縮コイルスプリングからなっており、調節機構４２とプランジャ４１との間に配置されており、プランジャ４１を所定の弾性力で下方に押し付けている。
【００３２】
複数個の凹部４４は、上述したように弾性部材４３によって下方に押し付けられたプランジャ４１を受け入れることができるように、リング状の接触摺動部分Ａに臨むように、ベース１にそれぞれ形成されている。従って、複数個の凹部４４の各々における開口部の中心と支軸１２の中心との間の距離は、相互に同一であり、この距離は、上述したプランジャ４１の中心と支軸１２の中心との間の距離と等しい。上述した複数個の凹部のうち、中央に位置する凹部４４は、ターンテーブル２が中立位置に置かれているときに、プランジャ４１を受け入れ、又、他の複数個の凹部４４は、ターンテーブル２が中立位置から複数の異なる所定角度の何れかの角度をもって時計方向又は反時計方向に回動したときに、プランジャ４１を受け入れるように構成されている。勿論、ターンテーブル２を中立位置に保持するための凹部４４における開口部の中心及び支軸１２の中心を結ぶ直線と、他の凹部４４の各々における開口部の中心及び支軸１２の中心を結ぶ直線との間の角度は、予め所望の値に設定されており、ターンテーブル２の回動角度は、ターンテーブル２に設けられたポインタＰに基づいて、ベース１に設けられた角度目盛３３によって読み取られる（図２参照）。
【００３３】
上述した複数個の凹部４４においては、その上部のみが開放されており、その下部は閉塞されている。従って、異物が凹部内に浸入することを回避することができる。
【００３４】
上述した位置決め機構３９によれば、雄ネジとして構成された調節機構４２は、それ自身を回転させることによって、プランジャボア４０の雌ネジ部内において、上下方向に移動可能であり、その結果、圧縮コイルスプリングからなる弾性部材４３によるプランジャ４１に付与される弾性力を調整することができるため、その弾性力をオペレータの好みの値に設定することができる。
【００３５】
マイターロック機構４は、図４、図６及び図７から明らかなように、ターンテーブル２のベース１への固定及び解除を行なうもので、マイターロックシャフト５と、ロックレバー６と、マイターロック操作ハンドル７とからなっている。
【００３６】
マイターロックシャフト５は、中空シャフトからなっており、ターンテーブル２の矩形状部分２ｂ内にその長さ方向に沿って、且つ、その横方向において一方側に偏位して配置されている。このマイターロックシャフト５は、ターンテーブル２のリブ２ｃによって、その長さ方向に摺動可能に支持されている。
【００３７】
ロックレバー６は、図６から明らかなように、一対の脚部６ａ、６ｂを有するように断面略Ｕ字状に形成されており、このロックレバー６は、脚部６ａが下に、脚部６ｂが上にそれぞれ位置するように配置され、その一端部において、垂直方向に伸びるボルト４５を介してターンテーブル２の裏面に、水平面に沿って揺動可能に取り付けられている。上記ロックレバー６の他端は、図６及び図７から明らかなように、上述したマイターロックシャフト５の先端に当接している。従って、マイターロックシャフト５がその軸線方向に沿って、卓上切断機の後方側に移動すると、ロックレバー６は、ボルト４５を中心にして揺動し、ロックレバー６の下方の脚部６ａの中央部分が、ターンテーブル２との接触摺動面Ａを形成している、ベース１のリブ１ｃの側壁を押圧する。
【００３８】
マイターロック操作ハンドル７は、図１４に示すように、中空状に形成されており、カラー７ａ及びこれに一体的に形成されたねじ込みスリーブ７ｂを介して、上述したマイターロックシャフト５の後端に配置されている。即ち、マイターロック操作ハンドル７の内孔には、カラー７ａが嵌め込まれ、これに固定されている。このカラー７ａに一体的に形成されたねじ込みスリーブ７ｂは、ターンテーブル２の手前側端部の側壁２ｆに螺合されており、この状態において、ねじ込みスリーブ７ｂの先端は、マイターロックシャフト５の後端に当接している。このようにして、マイターロック操作ハンドル７は、ターンテーブル２の前面側に配置されている。
【００３９】
従って、このマイターロック操作ハンドル７を回転させて、ねじ込みスリーブ７ｂをねじ込めば、マイターロックシャフト５が卓上切断機の後方側に移動し、これに伴なって、ロックレバー６は、ボルト４５を中心にして揺動し、ロックレバー６の下方の脚部６ａの中央部分がベース１のリブ１ｃの側壁を押圧し、このようにして、ターンテーブル２はベース１に固定される。
【００４０】
ベベルロック機構８は、図４及び図７から明らかなように、丸鋸本体３の傾動の固定及び解除を行なうもので、ベベルロックシャフト９と、ベベルロック操作ハンドル１１とからなっている。
【００４１】
ベベルロックシャフト９は、図４に示すように、上述したマイターロックシャフト５内を通って、ターンテーブル２をその長さ方向に貫通している。即ち、ベベルロックシャフト９は、マイターロックシャフト５の内径よりも僅かに小さい外径及びターンテーブル２の全長よりも僅かに長い長さを有し、しかも、先端部がねじ切られたシャフトからなっている。このベベルロックシャフト９は、マイターロックシャフト５内を通し、ベベルロックシャフト９のねじ切られた先端部を、ターンテーブル２における張出し部２ｅに形成されたネジ孔１４に螺合させ、更に、その先端部をブラケット１０の張出し部１０ｂに形成された長孔１０ｃを通って外側に突出させることによって、ターンテーブル２に組み込まれている。ブラケット１０の長孔１０ｃから突出したベベルロックシャフト９の先端にはストッパリング１３が取り付けられている。
【００４２】
一方、ベベルロックシャフト９の後端には、ロックナット１１ａを介してベベルロック操作ハンドル１１が固定されている。このようにして、ベベルロック操作ハンドル１１は、ターンテーブル２の前面側において、上述したマイターロック操作ハンドル７と同一軸心的に配置されている。
【００４３】
従って、このベベルロック操作ハンドル１１を一方向に回転させれば、ブラケット１０の張出し部１０ｂがターンテーブル２側の張出し部２ｅに押し付けられ、丸鋸本体３の傾動が固定される。
【００４４】
上述したようにマイターロックシャフト５とベベルロックシャフト９とは同一軸心上に配置されており、中空のマイターロックシャフト５の取付け位置は、ターンテーブル２のリブ２ｃによって確実に保持されている。従って、中空のマイターロックシャフト５の内径よりも十分に小さい外径を有するシャフトをベベルロックシャフト９として使用すれば、マイターロックシャフト５とベベルロックシャフト９との接触を確実に防止することができる。従って、ターンテーブル２のリブ２ｃは、マイターロックシャフト５とベベルロックシャフト９とが相互に接触しないように、これ等を間隔をあけて同一軸心上に配置するための保持手段として作用している。
【００４５】
傾動停止機構１６は、図５、図７及び図９から明らかなように、丸鋸本体３が一方から他方に傾動する際に、鋸刃２５が垂直に位置したときに、丸鋸本体３の傾動を停止するためのもので、傾動停止シャフト１７と、ストッパ手段２２と、傾動停止操作ハンドル１８とからなっている。
【００４６】
傾動停止シャフト１７は、ターンテーブル２の全長よりも僅かに長い長さを有しており、図７に示すように、この傾動停止シャフト１７の先端部はクランク状に形成されている。即ち、傾動停止シャフト１７の先端には、これに対して偏位したロックピン２０がレバー１９を介して取り付けられている。このように構成された傾動停止シャフト１７は、図５及び図７に示すように、ベベルロックシャフト９と平行に配置され、傾動停止シャフト１７の中心軸線を中心にして回動可能にターンテーブル２に支持されている。
【００４７】
傾動停止シャフト１７の一方向への回動限界位置は、これがターンテーブル２に設けられた突起２１と当接することによって規制されている。即ち、傾動停止シャフト１７のレバー１９には切欠き部１９ａが形成されており、一方、ターンテーブル２の張出し部２ｅ付近には、傾動停止シャフト１７が回動して、そのロックピン２０がブラケット１０に形成された長孔１０ｃを限定する円の円周上に位置したときに、上記切欠き部１９ａに当接する突起２１が設けられている。
【００４８】
又、傾動停止シャフト１７には、上記突起２１への切欠き部１９ａの当接状態を弾性的に保持するためのコイルスプリング３４が取り付けられている。即ち、コイルスプリング３４は、傾動停止シャフト１７の周りに被せるように配置され、コイルスプリング３４の一端を、傾動停止シャフト１７に取付け、その他端をターンテーブル２側に取り付けることによって、傾動停止シャフト１７を、図１１において矢印Ｙ方向に回転させるための弾性力を傾動停止シャフト１７に付与するように構成されている。
【００４９】
ストッパ手段２２は、ボルト２２ａ及びロックナット２２ｂからなっており、丸鋸本体３が一方から他方に傾動する際に、鋸刃２５が垂直に位置したときに（図９（ａ）参照）、上述した傾動停止シャフト１７のロックピン２０に当接可能なように、上述したブラケット１０に取り付けられている。勿論、このストッパ手段２２において、ボルト２２ａの螺合量を調節することによって、鋸刃２５の位置の微調整を行なうことができる。
【００５０】
傾動停止操作ハンドル１８は、上述した傾動停止シャフト１７の後端に取り付けられており、このようにして、傾動停止操作ハンドル１８は、ターンテーブル２の前面側に配置されている。
【００５１】
従って、丸鋸本体３が一方から他方に傾動する際に、鋸刃２５が垂直に位置したときに、傾動停止機構１６によって、丸鋸本体３の傾動が停止して、鋸刃２５が垂直な状態に保持されるが、このような状態で、傾動停止操作ハンドル１８をスプリング３４に抗して回転させれば、丸鋸本体３の傾動の停止が解除され、丸鋸本体３の更なる傾動が可能になる。
【００５２】
本発明の卓上切断機においては、ターンテーブル２の円形状部分２ａの中央に支軸１２が配置されている。従って、この支軸１２との干渉を回避するために、マイターロックシャフト５、ベベルロックシャフト９及び傾動停止シャフト１７を、ターンテーブル２の矩形状部分２ｂにおいて、その横方向に偏位するという基本的構造を採用し、これに伴なって、マイターロック機構４、ベベルロック機構８及び傾動停止機構１６の各々は、上述した特別な構造を有している。
【００５３】
次に、本発明の上述した卓上切断機の操作方法を以下に説明する。
【００５４】
ターンテーブル２の回動角度を０°に維持し、且つ、鋸刃２５の傾斜角度を０°に維持した状態で、直方体の木材からなる被切断材３１を切断するという第１切断パターンを説明する。
【００５５】
先ず、ベベルロック機構８によって鋸刃２５の傾斜角度が０°に保持された状態で、ターンテーブル２の前面側に配置されたベベルロック操作ハンドル１１を締め込んで、丸鋸本体３をリンク２８、２９及びブラケット１０を介してターンテーブル２にロックする。
【００５６】
次いで、ターンテーブル２の前面側に配置されたマイターロック操作ハンドル７を緩めて、ターンテーブル２のベース１への固定を解除し、この状態で、ターンテーブル２のポインタＰを、ベース１の角度目盛３３における０°に合わせるように、ターンテーブル２を回動させる。この際、位置決め機構３９のプランジャ４１は、接触摺動部分Ａにおいて、ベース１に形成された凹部４４内に受け入れられる。このようにプランジャ４１が凹部４４内に受け入れられるとき、クリック音を発生すると共に、その際の小さな衝撃力がオペレータに伝達され、角度目盛３３における視覚的な感覚のみならず、クリック音による聴覚的な感覚、及び、このクリック音と共にオペレータに伝達される小さな衝撃力による触覚的な感覚によって、ターンテーブル２のベース１に対する回動角度が０°であることがオペレータに確実に認識される。このような状態でマイターロック操作ハンドル７を締め込んでターンテーブル２をベース１にロックする。被切断材３１の１つの面（以下、「外側側面」という）をフェンス３０に当接させ、この状態で、被切断材３１を固定金具（図示せず）を介してベース１上に固定する。
【００５７】
次いで、丸鋸本体３を図１に示すように最上位置、即ち、切断待機位置に保持した状態で、丸鋸本体３をターンテーブル２の手前側、即ち、図１の右側に移動させ、この状態で、モータ（図示せず）を駆動させて、鋸刃２５を回転させ、丸鋸本体３を下方に押し付ける。このような丸鋸本体３の押付け動作に連動して、鋸刃２５の周囲の露出部分を覆っている安全カバー２６は丸鋸本体３のケーシング内に引っ込められ、鋸刃２５の下半部が露出し、従って、被切断材３１の手前側部分に切込みが入れられる。このように丸鋸本体３を下方に押し付け、これが最下位置に到達すると、鋸刃２５の下端部分は、ターンテーブル２上に取り付けられた一対の刃口板３２、３２間に挿入される。
【００５８】
上述した状態で、丸鋸本体３を下方に押し付けたまま、ターンテーブル２の後方側に移動させる（図３参照）。これによって、被切断材３１は、その外側側面に対して垂直方向に真っ直ぐに切断され、換言すれば、被切断材３１は、その平面において、外側側面における上方の辺（以下、「基準線」という）に対して垂直な切断線と、外側側面において、基準線に対して垂直な切断線とによって限定された切断面を有するように切断される。
【００５９】
次に、ターンテーブル２の回動角度を０°以外の所望の角度、例えば、４５°に維持し、且つ、鋸刃２５の傾斜角度を０°に維持した状態で、直方体の木材からなる被切断材３１を切断するという第２切断パターンを説明する。
【００６０】
勿論、第２切断パターンにおいても、上述した第１切断パターンにおけると同様に、傾動停止機構１６によって鋸刃２５の傾斜角度が０°に保持された状態で、丸鋸本体３はリンク２８、２９及びブラケット１０を介してターンテーブル２にロックされている。
【００６１】
先ず、ターンテーブル２の前面側に配置されたマイターロック操作ハンドル７を緩めて、ターンテーブル２のベース１への固定を解除し、この状態で、ターンテーブル２のポインタＰを、ベース１の角度目盛３３における４５°の角度に合わせるように、ターンテーブル２を回動させる。この際、位置決め機構３９によって、第１切断パターンにおけると同様に、クリック音を発生すると共に、その際の小さな衝撃力がオペレータに伝達され、角度目盛３３における視覚的な感覚のみならず、クリック音による聴覚的な感覚、及び、このクリック音と共にオペレータに伝達される小さな衝撃力による触覚的な感覚によって、ターンテーブル２のベース１に対する角度が所定の角度であることがオペレータに確実に認識される。このような状態で、ターンテーブル２の前面側に配置されたマイターロック操作ハンドル７を締め込んでターンテーブル２をベース１にロックする。上述した第１切断パターンにおけると同様に、被切断材３１の１つの面をフェンス３０に当接させ、この状態で、被切断材３１を固定金具（図示せず）を介してベース１上に固定する。
【００６２】
次いで、第１切断パターンにおけると同様に、丸鋸本体３を図１に示すように最上位置、即ち、切断待機位置に保持した状態で、丸鋸本体３をターンテーブル２の手前側、即ち、図１の右側に移動させ、この状態で、モータ（図示せず）を駆動させて、鋸刃２５を回転させ、丸鋸本体３を下方に押し付ける。その結果、第１切断パターンにおけると同様に、被切断材３１の手前側部分に切込みが入れられる。
【００６３】
上述した状態で、丸鋸本体３を下方に押し付けたまま、ターンテーブル２の後方側に移動させる（図３参照）。これによって、被切断材３１は、その平面において、基準線に対して斜めの切断線と、被切断材３１の外側側面において、基準線に対して垂直な切断線とによって限定された切断面を有するように切断される。
【００６４】
更に、ターンテーブル２の回動角度を０°に維持し、且つ、鋸刃２５の傾斜角度を所望の角度、例えば、４５°に維持した状態で、直方体の木材からなる被切断材３１を切断するという第３切断パターンを説明する。
【００６５】
勿論、第３切断パターンにおいても、上述した第１切断パターンにおけると同様に、ターンテーブル２のベース１に対する回動角度が０°である状態で、ターンテーブル２の前面側に配置されたマイターロック操作ハンドル７を締め込んでターンテーブル２がベース１にロックされている。
【００６６】
先ず、ターンテーブル２の前面側に配置されたベベルロック操作ハンドル１１を緩めて、鋸刃２５の傾斜角度が４５°の角度になるように丸鋸本体３を傾動させ、この状態で、ベベルロック操作ハンドル１１を締め込んで、丸鋸本体３をリンク２８、２９及びブラケット１０を介してターンテーブル２にロックする。
【００６７】
勿論、鋸刃２５が垂直な状態に位置するまでは、丸鋸本体３の傾動は自由に行なわれるが、鋸刃２５が垂直な状態に位置したときに、傾動停止機構１６によってその状態が保持され、換言すれば、鋸刃２５の傾斜角度が０°に保持される。その場合には、傾動停止機構１６の傾動停止操作ハンドル１８を回転させることによって、鋸刃２５の０°の傾斜角度の保持が解除され、更なる傾動が可能になる。上述した第１切断パターンにおけると同様に、被切断材３１の１つの面をフェンス３０に当接させ、この状態で、被切断材３１を固定金具（図示せず）を介してベース１上に固定する。
【００６８】
次いで、第１切断パターンにおけると同様に、丸鋸本体３を図１に示すように最上位置、即ち、切断待機位置に保持した状態で、丸鋸本体３をターンテーブル２の手前側、即ち、図１の右側に移動させ、この状態で、モータ（図示せず）を駆動させて、鋸刃２５を回転させ、丸鋸本体３を下方に押し付ける。その結果、第１切断パターンにおけると同様に、被切断材３１の手前側部分に切込みが入れられる。
【００６９】
上述した状態で、丸鋸本体３を下方に押し付けたまま、ターンテーブル２の後方側に移動させる（図３参照）。これによって、被切断材３１は、その平面において、基準線に対して垂直な切断線と、被切断材３１の外側側面において、基準線に対して斜めの切断線とによって限定された切断面を有するように切断される。
【００７０】
更に、ターンテーブル２の回動角度を０°以外の所望の角度、例えば、４５°に維持し、且つ、鋸刃２５の傾斜角度を０°以外の所望の角度、例えば、４５°に維持した状態で、直方体の木材からなる被切断材３１を切断するという第４切断パターンを説明する。
【００７１】
先ず、第２切断パターンにおけると同様に、マイターロック操作ハンドル７を緩めて、ターンテーブル２のベース１への固定を解除し、この状態で、ターンテーブル２のポインタＰを、ベース１の角度目盛３３における４５°の角度に合わせるように、ターンテーブル２を回動させる。このような状態でマイターロック操作ハンドル７を締め込んでターンテーブル２をベース１にロックする。
【００７２】
次いで、第３切断パターンにおけると同様に、ベベルロック操作ハンドル１１を緩めて、鋸刃２５の傾斜角度が４５°の角度になるように丸鋸本体３を傾動させ、この状態で、ベベルロック操作ハンドル１１を締め込んで、丸鋸本体３をリンク２８、２９及びブラケット１０を介してターンテーブル２にロックする。上述した第１切断パターンにおけると同様に、被切断材３１の外側側面をフェンス３０に当接させ、この状態で、被切断材３１を固定金具（図示せず）を介してベース１上に固定する。
【００７３】
次いで、第１切断パターンにおけると同様に、丸鋸本体３を図１に示すように最上位置、即ち、切断待機位置に保持した状態で、丸鋸本体３をターンテーブル２の手前側、即ち、図１の右側に移動させ、この状態で、モータ（図示せず）を駆動させて、鋸刃２５を回転させ、丸鋸本体３を下方に押し付ける。その結果、第１切断パターンにおけると同様に、被切断材３１の手前側部分に切込みが入れられる。
【００７４】
上述した状態で、丸鋸本体３を下方に押し付けたまま、ターンテーブル２の後方側に移動させる（図３参照）。これによって、被切断材３１は、その平面において、基準線に対して斜めの切断線と、被切断材３１の外側側面において、基準線に対して斜めの切断線とによって限定された切断面を有するように切断される。
【００７５】
本発明の上述した実施形態にかかる卓上切断機においては、ターンテーブル２のリブ２ｃが、マイターロックシャフト５とベベルロックシャフト９とが相互に接触しないように、これ等を間隔をあけて同一軸心上に配置するための保持手段として作用しているものとして説明したが（図１２及び図１３参照）、図１５及び図１６に示すように、マイターロックシャフト５とベベルロックシャフト９との間に、保持手段としてのベアリング２３、２４を配置して、マイターロックシャフト５とベベルロックシャフト９とが相互に接触しないように、これ等を間隔をあけて同一軸心上に配置することも可能である。
【００７６】
本発明の上述した実施形態にかかる卓上切断機は、ベース１と、ターンテーブル２と、丸鋸本体３と、マイターロック機構４と、ベベルロック機構８と、傾動停止機構１６からなっており、マイターロック操作ハンドル７及びベベルロック操作ハンドル１１がターンテーブル２の前面側にそれぞれ配置されており、しかも、マイターロックシャフト５と、ベベルロックシャフト９とが、同一軸心上に配置されているものとして説明したが、本発明の卓上切断機の形態を以下に述べるように変形することも可能である：
▲１▼第１変形例：本発明の上述した実施形態にかかる卓上切断機において、傾動停止機構１６を省略する。
【００７７】
▲２▼第２変形例：本発明の上述した実施形態にかかる卓上切断機において、マイターロックシャフト５と、ベベルロックシャフト９とを同一軸心上ではなく、それぞれ別々に配置する。
【００７８】
▲３▼第３変形例：第１変形例において、マイターロックシャフト５と、ベベルロックシャフト９とを同一軸心上ではなく、それぞれ別々に配置する。
【００７９】
▲４▼第４変形例：卓上切断機を、ベース１と、切断待機位置及び切断完了位置間を鋸刃２５の平面に沿って移動可能に、且つ、鋸刃２５の平面と直交する平面に沿って傾動可能にベース１に取り付けられた丸鋸本体３と、丸鋸本体３の傾動の固定及び解除を行なうためのベベルロック機構８とから構成し、ターンテーブル２及びマイターロック機構４を省略する。この場合においては、ベベルロック操作ハンドル１１は、ベース１の前面側に配置される。
【００８０】
▲５▼第５変形例：第４変形例において、傾動停止機構１６を付加する。
【００８１】
又、本発明の上述した実施形態にかかる卓上切断機においては、丸鋸本体３はリンク２８、２９によって許容された所定ストロークの範囲内で移動可能に構成されるものとして説明したが、これ等リンク２８、２９の代わりに、丸鋸本体３を水平移動させるための手段を採用してもよい。又、丸鋸本体３が所定ストロークの範囲内で移動可能である必要がない場合には、これ等リンク２８、２９を使用することなく、丸鋸本体３をブラケット１０に直接回動可能に取り付けることも可能である。
【００８２】
【発明の効果】
以上詳述した本発明によれば、請求項１に記載したように、ベースと、切断待機位置及び切断完了位置間を鋸刃の平面に沿って移動可能に、且つ、前記ベースに対して回転可能なブラケットを用いて前記鋸刃の平面と直交する平面に沿って傾動可能に前記ベースの後方側に取り付けられた丸鋸本体と、前記丸鋸本体の傾動の固定及び解除を行なうためのベベルロック機構とを備えた卓上切断機において、前記ベベルロック機構は、前記ベースの前面側に配置されたベベルロック操作ハンドルと、前記ベースの前面側から後方側へ延びると共に前記ベースに前記ブラケットを押し付けるように前記ベベルロック操作ハンドルによって移動可能なベベルロックシャフトとを含むので、ベベルロック機構の操作のために、オペレータは、卓上切断機の後方側に移動する必要がなく、自分自身を卓上切断機の前方側に位置した状態で、手をベースの後方側に伸ばすことなく、ベースの前面側においてベベルロック機構の操作を極めて容易に、安全に且つ確実に行なうことができる。
【００８３】
又、請求項２に記載したように、ベースと、前記ベースに回動可能に取り付けられたターンテーブルと、切断待機位置及び切断完了位置間を鋸刃の平面に沿って移動可能に、且つ、前記ターンテーブルに対して回転可能なブラケットを用いて前記鋸刃の平面と直交する平面に沿って傾動可能に前記ターンテーブルの後方側に取り付けられた丸鋸本体と、前記ターンテーブルの前記ベースへの固定及び解除を行なうためのマイターロック機構と、前記丸鋸本体の傾動の固定及び解除を行なうためのベベルロック機構とを備えた卓上切断機において、前記マイターロック機構のためのマイターロック操作ハンドルが前記ターンテーブルの前面側に配置されており、前記ベベルロック機構は、前記ターンテーブルの前面側に配置されたベベルロック操作ハンドルと、前記ターンテーブルの前面側から後方側へ延びると共に前記ターンテーブルに前記ブラケットを押し付けるように前記ベベルロック操作ハンドルによって移動可能なベベルロックシャフトとを含むので、マイターロック機構の操作を、ベースの前面側において行なうことができるのみならず、ベベルロック機構の操作のために、オペレータは、卓上切断機の後方側に移動する必要がなく、自分自身を卓上切断機の前方側に位置した状態で、手をベースの後方側に伸ばすことなく、ベースの前面側においてベベルロック機構の操作を極めて容易に、安全に且つ確実に行なうことができ、マイターロック機構及びベベルロック機構の双方の操作を効率的に行なうことができる。
【００８４】
又、請求項３に記載したように、請求項２の卓上切断機において、前記マイターロック機構のためのマイターロックシャフトと、前記ベベルロック機構のためのベベルロックシャフトとが、これ等が相互に接触しないように、保持手段を介して間隔をあけて同一軸心上に配置されており、前記マイターロックシャフトの一端に前記マイターロック操作ハンドルが取り付けられ、前記ベベルロックシャフトの一端に前記ベベルロック操作ハンドルが取り付けられているので、マイターロックシャフトとベベルロックシャフトとの取付けスペースの有効利用を図ることができ、しかも、マイターロックシャフトとベベルロックシャフトとの相互干渉が防止され、マイターロック機構及びベベルロック機構の双方の操作を円滑且つ確実に行なうことができる。
【００８５】
更に、請求項４に記載したように、ベースと、切断待機位置及び切断完了位置間を鋸刃の平面に沿って移動可能に、且つ、前記ベースに対して回転可能なブラケットを用いて前記鋸刃の平面と直交する平面に沿って傾動可能に前記ベースの後方側に取り付けられた丸鋸本体と、前記丸鋸本体の傾動の固定及び解除を行なうためのベベルロック機構と、前記丸鋸本体が一方から他方に傾動する際に、前記鋸刃が垂直に位置したときに、前記丸鋸本体の傾動を停止するための傾動停止機構とを備えた卓上切断機において、前記傾動停止機構は、前記ベースの前面側に配置された傾動停止操作ハンドルと、前記ベースの前面側から後方側へ延びると共に前記傾動停止操作ハンドルによって回転可能な傾動停止シャフトと、回転する前記ブラケットが当たるように前記傾動停止シャフトによって回転可能なロックピンとを含むので、傾動停止機構の操作のために、オペレータは、卓上切断機の後方側に移動する必要がなく、自分自身を卓上切断機の前方側に位置した状態で、手をベースの後方側に伸ばすことなく、ベースの前面側において傾動停止機構の操作を極めて容易に、安全に且つ確実に行なうことができる。
【００８６】
更に、請求項５に記載したように、ベースと、前記ベースに回動可能に取り付けられたターンテーブルと、切断待機位置及び切断完了位置間を鋸刃の平面に沿って移動可能に、且つ、前記ターンテーブルに対して回転可能なブラケットを用いて前記鋸刃の平面と直交する平面に沿って傾動可能に前記ターンテーブルの後方側に取り付けられた丸鋸本体と、前記ターンテーブルの前記ベースへの固定及び解除を行なうためのマイターロック機構と、前記丸鋸本体の傾動の固定及び解除を行なうためのベベルロック機構と、前記丸鋸本体が一方から他方に傾動する際に、前記鋸刃が垂直に位置したときに、前記丸鋸本体の傾動を停止するための傾動停止機構とを備えた卓上切断機において、前記マイターロック機構のためのマイターロック操作ハンドルが前記ターンテーブルの前面側に配置されており、前記ベベルロック機構のためのベベルロック操作ハンドルが前記ターンテーブルの前面側に配置されており、前記傾動停止機構は、前記ターンテーブルの前面側に配置された傾動停止操作ハンドルと、前記ターンテーブルの前面側から後方側へ延びると共に前記傾動停止操作ハンドルによって回転可能な傾動停止シャフトと、回転する前記ブラケットが当たるように前記傾動停止シャフトによって回転可能なロックピンとを含むので、マイターロックシャフトとベベルロックシャフトとの取付けスペースの有効利用を図ることができ、しかも、マイターロックシャフトとベベルロックシャフトとの相互干渉が防止され、マイターロック機構及びベベルロック機構の双方の操作を円滑且つ確実に行なうことができ、しかも、傾動停止機構の操作のために、オペレータは、卓上切断機の後方側に移動する必要がなく、自分自身を卓上切断機の前方側に位置した状態で、手をベースの後方側に伸ばすことなく、ターンテーブルの前面側において傾動停止機構の操作を極めて容易に、安全に且つ確実に行なうことができる。
【図面の簡単な説明】
【図１】本発明の実施形態の卓上切断機の正面図。
【図２】本発明の卓上切断機のベース及びターンテーブルを示す平面図。
【図３】丸鋸本体を取り付けた状態における図２のＩＩＩ−ＩＩＩ線断面図。
【図４】図２のＩＶ−ＩＶ線断面図。
【図５】図２のＶ−Ｖ線断面図。
【図６】本発明の卓上切断機のベース及びターンテーブルを示す部分拡大断面図。
【図７】本発明の卓上切断機のターンテーブルの底面図。
【図８】本発明の卓上切断機の右側面図。
【図９】本発明の卓上切断機のベベルロック機構を示す説明図。
【図１０】図３のＸ−Ｘ線端面図。
【図１１】図３のＸＩ−ＸＩ線端面図。
【図１２】図２のＸＩＩ−ＸＩＩ線断面図。
【図１３】図１２におけるマイターロックシャフト及びベベルロックシャフトの取付け構造を示す拡大部分断面図。
【図１４】マイターロック操作ハンドル及びベベルロック操作ハンドルの取付け構造を示す断面図。
【図１５】マイターロックシャフトとベベルロックシャフトとの間隔を保持するための保持手段の変形例を示す断面図。
【図１６】図１５の部分拡大断面図。
【符号の説明】
１：ベース
２：ターンテーブル
３：丸鋸本体
４：マイターロック機構
５：マイターロックシャフト
７：マイターロック操作ハンドル
８：ベベルロック機構
９：ベベルロックシャフト
１１：ベベルロック操作ハンドル
１６：傾動停止機構
１８：傾動停止操作ハンドル
【図１】
0003922476.tif 000002
【図２】
0003922476.tif 000003
【図３】
0003922476.tif 000004
【図４】
0003922476.tif 000005
【図５】
0003922476.tif 000006
【図６】
0003922476.tif 000007
【図７】
0003922476.tif 000008
【図８】
0003922476.tif 000009
【図９】
0003922476.tif 000010
【図１０】
0003922476.tif 000011
【図１１】
0003922476.tif 000012
【図１２】
0003922476.tif 000013
【図１３】
0003922476.tif 000014
【図１４】
0003922476.tif 000015
【図１５】
0003922476.tif 000016
【図１６】
0003922476.tif 000017